(57)【要約】【課題】寒冷地・極寒地・極寒地かつ暴風環境において凍傷予防をしつつ、呼吸による心肺の負担の軽減および行動食を簡単に摂取できるバラクラバを提供することを目的とする。また、本発明は、砂漠などの暑地・極暑地・極暑地かつ暴風環境で使用できるバラクラバを提供することを目的とする。【解決手段】マスク部および前垂れ部付のバラクラバ１は、目部および口部が開口されたバラクラバ本体１０と、口部左右から頬部後方に向かって入口部２２１と出口部２２２（排気口）を有して形成される排気部とを有するマスク部２０と、前記マスク部２０の前記開口部および前記排気部を少なくとも覆うように設けられる前垂れ部３０とを備える。【選択図】図１
2015190099.tif 000002
【特許請求の範囲】
【請求項１】
目部および口部が開口されたバラクラバ本体と、
口部左右から頬部後方に向かって、入口部と出口部とを有して形成される排気部を有するマスク部と、
前記マスク部の前記開口部および前記排気部を少なくとも覆うように設けられる前垂れ部と、を備える、マスク部および前垂れ部付のバラクラバ。
【請求項２】
前記マスク部は、前記バラクラバ本体の前記口部に対応して形成される開口部を有し、当該開口部と前記排気部と一体または別体の構成である、請求項１に記載のバラクラバ。
【請求項３】
前記バラクラバ本体は、肌面側になる撥水性または疎水性の第１層と、外側面になる吸汗性または吸湿性の第２層を有する１枚生地で構成される、請求項１または２に記載のバラクラバ。
【請求項４】
前記バラクラバ本体は、ダーツを有する末広がり構造の裾部を有し、
前記ダーツが、前記バラクラバ本体を構成する前記１枚生地の厚みより小さい厚み、好ましくは３／４の厚み、より好ましくは、１／２の厚みである、請求項１〜３のいずれか１項に記載のバラクラバ。
【請求項５】
前記マスク部の肌面側の生地が、撥水性または疎水性の生地である、請求項１〜４のいずれか１項に記載のバラクラバ。
【請求項６】
前記排気部の排気口を覆うメッシュ構造のカバー生地部を備える、請求項１〜５のいずれか１項に記載のバラクラバ。
【請求項７】
前記前垂れ部は、肌面側になる撥水性メッシュ構造または疎水性メッシュ構造の第１層と、外側面になる通気性を有する第２層を有する１枚生地で構成される、請求項１〜６のいずれか１項に記載のバラクラバ。
【請求項８】
前記１枚生地の第２層が、通気性および内外面断熱性を有する、請求項７に記載のバラクラバ。
【請求項９】
前記１枚生地の第２層が、通気性および遮熱性を有する、請求項７に記載のバラクラバ。
【請求項１０】
前記前垂れ部は、第１、第２、第３生地での３枚の生地で構成され、
肌面側になる前記第１生地は、肌面側になる撥水性メッシュ構造または疎水性メッシュ構造を有する生地であり、
中間になる前記第２生地は、前記第１生地よりも厚みがある撥水メッシュ構造または疎水性メッシュ構造を有する生地であり、
外側になる前記第３生地は、通気性を有する生地である、請求項１〜６のいずれか１項に記載のバラクラバ。
【請求項１１】
前記第３生地が、撥水性メッシュ構造または疎水性メッシュ構造の第１層と、通気性および内外面断熱性を有する第２層を有する１枚生地である、請求項１０に記載のバラクラバ。
【請求項１２】
前記第２生地が、撥水性メッシュ構造または疎水性メッシュ構造の第１層と、通気性および遮熱性を有する第２層を有する１枚生地であり、
前記第３生地が、通気性および遮熱性を有する生地である、請求項１０に記載のバラクラバ。
【請求項１３】
前記マスク部の前記開口部に着脱自在に設けられるフィルターをさらに有する、請求項１〜１２のいずれか１項に記載のバラクラバ。
【発明の詳細な説明】
【技術分野】
【０００１】  本発明は、目部および口部が開口されたバラクラバ本体と、マスク部と、マスク部を少なくとも覆うように設けられる前垂れ部とを備える、マスク部および前垂れ部付のバラクラバに関する。より詳細には、寒冷地（０℃〜−２０℃）、極寒地（−２０℃〜−３０℃）、極寒地かつ暴風環境（−３０℃以下）、砂漠などの暑地（２５℃〜４２℃）・極暑地（４２℃以上）・極暑地かつ暴風環境にも対応できる極地・極寒極暑地用バラクラバに関する。
【背景技術】
【０００２】  従来から、頭、顔、首の防寒、保温目的のためにバラクラバ（目出し帽、フェイスマスク）が使用されている。例えば、通常のバラクラバは、口部を覆うマスク部を着脱自在の構造にしてあり、このマスク部を取り外して、行動食を摂取するものであった。また、マスク部には、その正面の生地に吸排気用の複数の小さな孔が開けられているか、あるいは複数の孔が開けられたカップ形状の部材がマスク部に設けられている。【０００３】  特許文献１は、目に対応する部分が開口し、鼻および口に対応する部分に複数の小通気孔が設けられている。
【先行技術文献】
【特許文献】
【０００４】
【特許文献１】特開２０１１−１９０５４３公報
【発明の概要】
【発明が解決しようとする課題】
【０００５】  しかし、上記のような通常のバラクラバでは、極地（南極、北極）における凍傷の心配、呼吸による心肺の高負担（水分を逃がさない、冷たい空気を吸わない、呼吸が楽（呼吸抵抗が少ない））がある。また、マスク部を外してからでないと行動食（１日３回以上、２時間おき休憩時に）を簡単に摂取できない。【０００６】  また、バラクラバは、極寒冷の極地以外の、砂漠や熱い空気環境の場所でも使用したい。例えば、昼夜の寒暖の差の激しい場所（例えば砂漠）でも同じバラクラバを使用できることが望ましい。【０００７】  本発明は上記問題に鑑みてなされたものであって、寒冷地・極寒地・極寒地かつ暴風環境において凍傷予防をしつつ、呼吸による心肺の負担の軽減および行動食を簡単に摂取できるバラクラバを提供することを目的とする。また、本発明は、砂漠などの暑地・極暑地・極暑地かつ暴風環境で使用できるバラクラバを提供することを目的とする。
【課題を解決するための手段】
【０００８】  本発明に係るマスク部および前垂れ部付のバラクラバは、目部および口部が開口されたバラクラバ本体と、
口部左右から頬部後方に向かって、入口部と出口部を有して形成される排気部を有するマスク部と、
前記マスク部の前記開口部および前記排気部を少なくとも覆うように設けられる前垂れ部と、を備える。【０００９】  この構成によれば、前垂れ部とバラクラバ本体との隙間に手を入れて、マスク部を取り外すことなく行動食を簡単に摂取できる。また、呼吸（鼻呼吸、口呼吸）で吐いた二酸化炭素が多い空気を再度吸いすぎないように、この二酸化炭素の多い空気を、排気部を通じて外部へ自然な呼吸動作で簡単に排気（自然な呼吸で送り出し）できる。よって、凍傷予防をしつつ、呼吸による心肺の負担の軽減および行動食を簡単に摂取できる。本発明のバラクラバは、それのみで使用されてもよく、頭部の保温性確保のために、ビーニー、ヘルメットなどと同時に使用されてもよい。【００１０】  上記発明の一実施形態として、前記マスク部は、前記バラクラバ本体の前記口部に対応して形成される開口部を有し、当該開口部と前記排気部と一体または別体の構成である。【００１１】  この構成によれば、前垂れ部とバラクラバ本体との隙間に手を入れて、マスク部を取り外すことなくその開口部（口を開けて食事できる程度の大きい開口部）を通じて行動食を簡単に摂取できる。また開口部が、鼻呼吸、口呼吸による息（空気）を排気部へ導く案内として作用し、息（空気）の滞留を防ぐことができる。【００１２】  上記発明の一実施形態として、前記バラクラバ本体は、肌面側になる撥水性または疎水性の第１層と、外側面になる吸汗性または吸湿性の第２層を有する１枚生地で構成される。この構成によって、寒冷地、極寒地、極寒地かつ暴風環境において、汗の肌への濡れ戻りを防止すると同時に、素早く汗を乾かし、濡れから肌を守り体温低下と凍傷を防ぐことができる。暑地、極暑地、極暑地かつ暴風環境において、汗の肌への濡れ戻りを防止すると同時に、素早く汗を乾かし、濡れから肌を守り体温上昇を抑える。【００１３】  撥水性の第１層は、例えば、ポリエステル生地などを撥水剤で表面処理（撥水加工）することで得られる。また、疎水性の第１層は、例えば、ポリプロピレン生地、あるいは任意の繊維生地を疎水性樹脂で表面処理する構成（疎水加工）あるいは疎水性繊維、撥水性メッシュ構造または疎水性メッシュ構造の生地で構成することで得られる。【００１４】  吸汗性の第２層は、例えば、吸汗加工ポリエステル、吸汗加工ポリプロピレンの生地で構成できる。吸汗性の第２層は、例えば、寒冷地、極寒地、極寒地かつ暴風環境に適する。【００１５】  吸湿性の第２層は、例えば、シルク混毛糸（シルク原糸およびナイロン原糸）の生地で構成できる。吸湿性の第２層は、例えば、暑地、極暑地、極暑地かつ暴風環境に適する。【００１６】  上記第１層と第２層とが１枚の生地で構成されている。第１層の生地と第２層の生地とは、縫製、接着剤で接着、溶着されて１枚生地に構成されていてもよい。また、例えば、１枚生地は、吸汗性のポリエステル生地（またはポリプロピレン生地）の一方面を撥水加工（または疎水加工）することで得られる。また、例えば、１枚生地は、吸湿性のシルク混毛糸で構成された生地の一方面を撥水加工（または疎水加工）することで得られる。上記生地は、例えば、編み構造または織り構造で構成できる。【００１７】  上記発明の一実施形態として、前記バラクラバ本体は、ダーツを有する末広がり構造の裾部を有し、
前記ダーツが、前記バラクラバ本体を構成する前記１枚生地の厚みより小さい厚み、好ましくは３／４の厚み、より好ましくは、１／２の厚みである。【００１８】  これによって、バラクラバ本体（裾部）が身体にフィットして動きやすくなるとともに、外部からの雪、雨、砂などの侵入を効果的に予防する。【００１９】  上記発明の一実施形態として、前記バラクラバ本体は、末広がりの裾部を有し、前記裾部は、タックまたはギャザー構造を有する構成が例示される。タック、ギャザー構造を有することで、バラクラバ本体（裾部）が身体にフィットして動きやすくなるとともに、外部からの雪、雨、砂などの侵入を効果的に予防する。【００２０】  上記発明の一実施形態として、マスク部の排気部の入口部は、口の左右横にそれぞれ配置された１つの開口であり、出口部は、入口部から通じた複数の開口であって、かつ各層間に隙間が形成されるように立体的な多層構造（えら構造）の開口であることが好ましい。【００２１】  上記発明の一実施形態として、前記マスク部の肌面側の生地が、撥水性または疎水性の生地である。撥水性または疎水性の生地は、例えば、クッション性のポリウレタン生地、ポリエステルなどが挙げられる。これによって、マスクの肌あたりを優しくすることができ、行動食を摂取するときの口の動きにも追従できる。【００２２】  上記発明の一実施形態として、前記排気部の出口部（排気口）を覆うメッシュ構造のカバー生地部を備える。これによって、雪、雨、砂などの排気部の排気口への侵入を防止できる。【００２３】  上記発明の一実施形態として、前記前垂れ部は、肌面側になる撥水性メッシュ構造または疎水性メッシュ構造の第１層と、外側面になる通気性を有する第２層を有する１枚生地で構成される。【００２４】  撥水性メッシュ構造または疎水性メッシュ構造の第１層は、例えば、撥水処理されたメッシュ構造のポリエステル、疎水性メッシュ構造のポリプロピレンなどが挙げられる。【００２５】  上記発明の一実施形態として、前記１枚生地の第２層が、通気性および内外面断熱性を有する。通気性および内外面断熱性の第２層は、例えば、寒冷地用には、ウールまたはウール混毛（ウール原糸とナイロン原糸）を用いた編み構造または織り構造で構成できる。ウール原糸は耐寒のために使用でき、ナイロン原糸を混毛することで縮毛を予防できる。内外両方断熱性は、内部の熱を外部へ逃がさずに、外部の熱を内部へ伝えない機能である。第１層生地と第２層生地とは、縫製、接着剤で接着、溶着されて１枚生地に構成されていてもよい。【００２６】  このように、前垂れ部の生地を上記構成することによって、雪、雨、寒冷の空気（風）が入らないようにして、水が浸み込みにくく、凍りにくくし、かつ通気性を確保する。この構成は、例えば、寒冷地用に適する。【００２７】  上記発明の一実施形態として、前記前垂れ部は、耐紫外線層（紫外線吸収層および／または紫外線反射層）を有する。耐紫外線層は、最外層に設けられていてもよく、第１層と第２層（通気性および内外面断熱性を有する）との間に設けられていてもよく、第１層または第２層が耐紫外線機能を有していてもよい。これにより、寒冷環境でも紫外線から肌を守ることができる。【���０２８】  上記発明の一実施形態として、前記１枚生地の第２層が、通気性および遮熱性を有する。通気性および遮熱性の第２層は、例えば、暑地用には、麻または麻混毛（麻原糸とナイロン原糸）を用いた編み構造または織り構造で構成できる。麻原糸は暑さを抑えるために使用でき、ナイロン原糸を混毛することで縮毛を予防できる。遮熱性は、内部の熱を外部へ逃がし、かつ外部の熱を内部へ伝えない機能である。第１層生地と第２層生地とは、縫製、接着剤で接着、溶着されて１枚生地に構成されていてもよい。【００２９】  このように、前垂れ部の生地を上記構成することによって、雨、砂、極暑の空気（風）が入らないようにして、水が浸み込みにくく、かつ通気性および遮熱機能を確保する。この構成は、例えば、暑地用に適する。【００３０】  上記発明の一実施形態として、前記前垂れ部は、耐紫外線層（紫外線吸収層および／または紫外線反射層）を有する。耐紫外線層は、最外層に設けられていてもよく、第１層と第２層（通気性および遮熱性を有する）との間に設けられていてもよく、第１層または第２層が耐紫外線機能を有していてもよい。これにより、極暑環境（砂漠）において、紫外線から肌を守り、熱や熱風から気道や肺を守ることができる。【００３１】  上記発明の一実施形態として、前記１枚生地で構成される前垂れ部が、前記バラクラバ本体に縫製されている構成である。また、前記１枚生地で構成される前垂れ部が、前記バラクラバ本体に着脱自在に取り付けできる構成である。【００３２】  上記発明の一実施形態として、前記前垂れ部は、第１、第２、第３生地での３枚の生地で構成され、
肌面側になる前記第１生地は、肌面側になる撥水性メッシュ構造または疎水性メッシュ構造を有する生地であり、
中間になる前記第２生地は、前記第１生地よりも厚みがある撥水メッシュ構造または疎水性メッシュ構造を有する生地であり、
外側になる前記第３生地は、通気性を有する生地である。【００３３】  第１生地の撥水性メッシュ構造または疎水性メッシュ構造の第１層は、例えば、撥水処理されたメッシュ構造のポリエステル、疎水性メッシュ構造のポリプロピレンなどが挙げられる。第２生地は、第１生地よりも厚く、第１生地厚みの１．１倍〜６倍が例示され、１、２倍から５倍が好ましく、１．５倍から３倍がより好ましい。第２生地は、例えば、撥水処理されたメッシュ構造のポリエステル、疎水性メッシュ構造のポリプロピレンなどが挙げられる。第３生地は、通気性を有する生地であり、例えば、ウール、ウール混毛、ポリエステル、ポリプロピレン、シルク、シルク混毛、麻、麻混毛などの繊維を用いて構成できる。【００３４】  上記発明の一実施形態として、前記第３生地が、撥水性メッシュ構造または疎水性メッシュ構造の第１層と、通気性および内外面断熱性を有する第２層を有する１枚生地である。撥水性メッシュ構造または疎水性メッシュ構造の第１層は、例えば、撥水処理されたメッシュ構造のポリエステル、疎水性メッシュ構造のポリプロピレンなどが挙げられる。通気性および内外面断熱性の第２層は、例えば、極寒地用には、ウールまたはウール混毛（ウール原糸とナイロン原糸）を用いた編み構造または織り構造で構成できる。ウール原糸は耐寒のために使用でき、ナイロン原糸を混毛することで縮毛を予防できる。第１層の生地と第２層の生地とが縫製、接着剤で接着、溶着されて１枚生地に構成されていてもよい。【００３５】  このように、前垂れ部の生地を上記構成することによって、肌側の第１生地と中間の第２生地と外側の第３生地によって段階的な空気層を形成し、極端な温度差にも対応すると共に、雪、雨、極寒の乾燥した空気（風）が入らないように防御することができる。外側の第３生地（２層構造）により、水が浸み込みにくく凍りにくくし、かつ通気性および内外面断熱機能を確保できる。この構成は、例えば、極寒地用に適する。【００３６】  上記発明の一実施形態として、前記前垂れ部は、耐紫外線層（紫外線吸収層および／または紫外線反射層）を有する。耐紫外線層は、最外層に設けられていてもよく、第１生地と第２生地の間、第２生地と第３生地（通気性および内外面断熱性を有する）の間に設けられていてもよく、第１生地、第２生地、第３生地（第１層および／または第２層）の内１種または２種以上が耐紫外線機能を有していてもよい。これにより、極寒地環境でも紫外線から肌を守ることができる。【００３７】  上記発明の一実施形態として、前記第２生地が、撥水性メッシュ構造または疎水性メッシュ構造の第１層と、通気性および遮熱性を有する第２層を有する１枚生地であり、
前記第３生地が、通気性および遮熱性を有する生地である。【００３８】  前記第２生地の撥水性メッシュ構造または疎水性メッシュ構造の第１層は、例えば、撥水処理されたメッシュ構造のポリエステル、疎水性メッシュ構造のポリプロピレンなどが挙げられる。前記第２生地の第２層は、例えば、極暑用には、麻または麻混毛（麻原糸とナイロン原糸）を用いた編み構造または織り構造で構成できる。麻原糸は暑さを抑えるために使用でき、ナイロン原糸を混毛することで縮毛を予防できる。第１層の生地と第２層の生地とは、縫製、接着剤で接着、溶着されて１枚生地に構成されていてもよい。第３生地は、例えば、シルクまたはシルク混毛糸（シルク原糸およびナイロン原糸）を用いた編み構造または織り構造で構成できる。【００３９】  このように、前垂れ部の生地を上記構成することによって、肌側の第１生地と中間の第２生地（２層構造）と外側の第３生地によって段階的な空気層を形成し、極端な温度差にも対応すると共に、雨、砂、極暑の空気（風）が入らないように防御することができる。この構成は、例えば、極暑地用に適する。【００４０】  上記発明の一実施形態として、前記前垂れ部は、耐紫外線層（紫外線吸収層および／または紫外線反射層）を有する。耐紫外線層は、最外層に設けられていてもよく、第１生地と第２生地の間、第２生地と第３生地（通気性および遮断性を有する）の間に設けられていてもよく、第１生地、第２生地、第３生地（第１層および／または第２層）の内１種または２種以上が耐紫外線機能を有していてもよい。これにより、極暑環境（砂漠）において、紫外線から肌を守り、熱や熱風から気道や肺を守ることができる。【００４１】  上記発明の一実施形態として、前記前垂れ部の下端は、前記バラクラバ本体の下端より下に位置することが好ましい。前垂れ部がバラクラバ本体の下端より１ｃｍ以上１２ｃｍ以下の範囲で長いことが好ましく、４〜１０ｃｍ長いことがより好ましく、６〜８ｃｍ長いことがさらに好ましい。【００４２】  上記発明の一実施形態として、側面視での前記マスク部の前方部が、使用者の口および鼻よりも前方に突設するように、前記マスク部が前記バラクラバ本体に取り付けられることが好ましい。マスク部の前方部に前垂れ部が接触することで、マスク部の開口部が前垂れ部で完全に塞がれることなく、空間を好適に維持する。【００４３】  上記発明の一実施形態として、前記マスク部の前記開口部に着脱自在に設けられるフィルターをさらに有する。フィルターは、例えば、防塵機能を有するフィルターが好ましい。防塵機能フィルターにより、極寒の乾燥した風や極暑の風を正面から受けても対処でき、喉や肺を効果的に守ることができる。この構成によって、極寒地用または極暑地用のバラクラバでも耐えられない程の風などに対処でき、極寒地かつ暴風用、極暑地かつ暴風用に適する。【００４４】  上記発明の一実施形態として、前記第１、第２、第３生地で構成される前垂れ部が、前記バラクラバ本体に縫製されている構成である。また、前記第１、第２、第３生地で構成される前垂れ部が、前記バラクラバ本体に着脱自在に取り付けできる構成である。また、前記第３生地が前記バラクラバ本体に縫製され、第１生地お���び／または第２生地が、前記バラクラバ本体または前記第３生地の内面に着脱自在に取り付けできる構成である。着脱自在の取り付け構成としては、例えば、面ファスナー、プラスチック製ジッパーなどが挙げられる。【００４５】  上記発明の一実施形態として、前記バラクラバがディスポーザブルである。特に極地使用では消耗が激しいため、１度だけの使用が好ましい。
【図面の簡単な説明】
【００４６】
【図１】実施形態１のバラクラバの側面外観図。
【図２】実施形態２の前垂れ部を説明するための図。
【図３】実施形態３の防塵フィルターを説明するための図。
【発明を実施するための形態】
【００４７】  （実施形態１：寒冷地用バラクラバ）
本実施形態１のバラクラバについて、図面を参照しながら説明する。図１において、バラクラバ１は、目部１ａおよび口部１ｂが開口されたバラクラバ本体１０と、バラクラバ本体１０の口部１ｂに対応して形成される開口部２１と口部１ｂ左右から頬部後方１２に向かって、入口部２２１と出口部２２２を有して形成される排気部２２とを有するマスク部２０と、マスク部２０の開口部２１および排気部２２を少なくとも覆うように設けられる前垂れ部３０とを備える。図１の側面図では、マスク部２０は左右部の左側のみ図示しているが、右側にも同様の構成の入口部および出口部を有して形成された排気部がある。
【００４８】  バラクラバ本体１０は、撥水性の第１層１１（撥水加工されたポリエステル生地）と吸汗性の第２層１２（ポリエステル生地）とを有し、１枚生地で構成されている。第１層１１が肌面に配置され、第２層１２が外側に配置される構成である。
【００４９】  バラクラバ本体１０は、ダーツ１４ａを有する末広がり構造の裾部１４を有する。ダーツ１４ａが、バラクラバ本体１０を構成する生地１４ｂと同じ素材であるが、ダーツ１４ａの厚みがバラクラバ本体１０の生地１４ｂの１／２の厚みである。バラクラバ本体１０の裾部１４は、着用時に上着の襟内へ挿入される。
【００５０】  マスク部２０の排気部２２の入口部２２１は、口部１ｂの左右横のそれぞれに配置された入口開口２２１ａ（左右に１つづつある入口開口）である。出口部２２２は、入口部２２１（各入口開口）から通じた複数の開口であって、かつ各層間に隙間が形成されるように立体的な多層構造（えら構造）の出口開口２２２ａである。排気部２２は、耐極低温および／または耐熱性の樹脂、天然ラバー、合成ラバーまたはエラストマー素材の一体成型品で構成され、肌面側にクッション性のポリウレタン生地が設けられる。多層構造は、例えば、２層、３層、４層、５層、６層以上が挙げられるが、軽量性、コンパクト化、排気性能の観点から３層または４層が好ましい。図１において、出口部２２２は、４層構造であり、３つに区切られた出口開口が形成される。
【００５１】  排気部２２の出口部２２２（複数の出口開口）は、メッシュ構造のカバー生地部（不図示）によって覆われる。カバー生地部は、メッシュ構造であれば特に制限されないが、例えば、ポリエステル、ポリポロピレンで構成されていてもよい。
【００５２】  前垂れ部３０は、撥水処理されたメッシュ構造のポリエステルの第１層３１と、通気性および防寒性（内外面断熱性）のウール混毛（ウール原糸とナイロン原糸）の第２層３２とを有する１枚生地で構成される。第１層３１が肌面に配置され、第２層３２が外側に配置される構成である。１枚生地で構成される前垂れ部３０は、その上部７０が、バラクラバ本体１０の目部１ａの下方であってマスク部の上方の位置に縫製される。バラクラバ本体１０に縫製される。前垂れ部３０の下端は、バラクラバ本体１０の下端より８ｃｍ下に位置する。本実施形態１のバラクラバは、寒冷地用に適する。
【００５３】  （暑地用の前垂れ部の構成）
上記実施形態１のバラクラバ本体と前垂れ部の生地構成を変更することで、暑地用に適するバラクラバを構成できる。例えば、バラクラバ本体は、撥水性の第１層（撥水加工されたポリエステル生地）と吸汗性の第２層（シルク混毛糸の生地）とを有し１枚生地で構成される。前垂れ部３０は、撥水処理されたメッシュ構造のポリエステルで構成された第１層と、通気性および遮熱性の麻混毛（麻原糸とナイロン極細原糸）で構成された第２層とを有する１枚生地で構成される。
【００５４】  （実施形態２：極寒地用）
図２に示す本実施形態２のバラクラバは、実施形態１のバラクラバと前垂れ部３０の構成が異なる。前垂れ部３０は、第１、第２、第３生地での３枚の生地で構成される。肌面側に位置する第１生地３１は、肌面側になる撥水性メッシュ構造生地（撥水性のメッシュ構造のポリエステル生地）である。中間に位置する第２生地３２は、第１生地３１よりも厚みがある撥水メッシュ構造生地（撥水性のメッシュ構造のポリエステル生地）である。外側に位置する第３生地３３は、撥水性メッシュ構造の第１層３３１（撥水性のメッシュ構造のポリエステル生地）と、通気性および防寒性（内外面断熱性）の第２層３３２（ウール混毛（ウール原糸とナイロン原糸））を有する１枚生地である。
【００５５】  前垂れ部３０の第１、第２、第３生地（３１、３２、３３）は、その上部７０が、バラクラバ本体３０の目部１ａの下方であってマスク部３０の上方の位置に縫製される。前垂れ部３０の第１、第２、第３生地（３１、３２、３３）下端は、バラクラバ本体１０の下端より８ｃｍ下に位置する。前垂れ部３０の端部において第１、第２、第３生地（３１、３２、３３）が内部空間（空気層、隙間）を作れるように縫製されていてもよく、縫製されていなくともよい。本実施形態２のバラクラバは、極寒地用に適する。
【００５６】  （極暑地用の前垂れ部の構成）
上記実施形態２のバラクラバ本体１０と前垂れ部３０の生地構成を変更することで、極暑地用に適するバラクラバを構成できる。例えば、バラクラバ本体は、撥水性の第１層（撥水加工されたポリエステル生地）と吸汗性の第２層（シルク混毛糸の生地）とを有し１枚生地で構成される。前垂れ部は、撥水性のメッシュ構造のポリエステル生地の第１生地と、撥水性メッシュ構造の第１層（撥水性のメッシュ構造のポリエステル生地）と、通気性および遮断性の第２層（麻混毛（麻原糸とナイロン極細原糸））を有する１枚生地の第２生地と、通気性および遮熱性を有する第３生地（シルク混毛糸の生地）で構成される。
【００５７】  （実施形態３：極寒地かつ暴風用または極暑地かつ暴風用）
図３に示す実施形態３のバラクラバは、実施形態２（極寒地用または極暑地用）のバラクラバにさらに防塵フィルター４０を追加した構成である。防塵フィルター４０は、マスク部３０に着脱自在に取り付ける。本実施形態３のバラクラバは、極寒地用または極暑地用のバラクラバでも耐えられない程の風などに対処でき、極寒地かつ暴風用または極暑地かつ暴風用に適する。防塵フィルター４０はディスポーザブルタイプが好ましい。また、防塵フィルター４０の左右横に２本のゴム紐が取り付けられており、このゴム紐を後頭部に引っ掛けるようにして、防塵フィルターを装着してもよい。
【００５８】  （別実施形態）
上記実施形態１〜３の形態において、前垂れ部３０は、その上部７０および一部側面部も縫製されてもよい。また、上記実施形態１〜３の形態において、各層間に隙間が形成されるように立体的な多層構造（えら構造）を形成する方法として、プラスチック製の層状フレームを複数層組み合わせて多層構造の出口部を形成してもよい。
【００５９】  また、上記実施形態１〜３において、バラクラバ本体、前垂れ部は、耐紫外線層（紫外線吸収層および／または紫外線反射層）を有していてもよい。
【符号の説明】
【００６０】１          バラクラバ
１ａ        目部
１ｂ        口部
１０        バラクラバ本体
１２        頬部後方
１４ａ      ダーツ
１４ｂ      バラクラバ本体の１枚生地
２０        マスク部
２１        開口部
２２        排気部
２２１      入口部
２２２      出口部
３０        前垂れ部
【図１】
2015190099.tif 000003
【図２】
2015190099.tif 000004
【図３】
2015190099.tif 000005